(57)【要約】      （修正有）【課題】不使用時における安全性が高く、尚且つ使用性が良好な書類差しを提供する。【解決手段】台座１０にピン２０と、その先端部２１を覆う蓋部４０を取り付けた支柱３０とを設けた書類差し１において、蓋部を、偏心位置に形成された軸孔４２を介して支柱に取り付け、水平方向に回転させることで、ピンの先端部を露呈させるようにした。書類をピン先に位置させるための水平移動操作と同時に、蓋部の縁を押して水平方向に回動させることができるので、書類の差し込みを迅速に行なうことができる。【選択図】図２
2012011761.tif 000002
【特許請求の範囲】
【請求項１】
台座（１０）に、書類が差し込まれるピン（２０）と、該ピン（２０）の先端部（２１）を覆う蓋部（４０）を取り付けた支柱（３０）と、を設けた書類差し（１）において、
前記蓋部（４０）は、偏心位置において前記支柱（３０）に取り付けられ、水平方向に回転させることで、前記ピン（２０）の先端部（２１）を露呈させるように構成したことを特徴とする書類差し。
【請求項２】
前記蓋部（４０）は、偏心位置に形成された軸孔（４２）を介して、前記支柱（３０）に取り付けられたことを特徴とする請求項１に記載の書類差し。
【請求項３】
前記支柱（３０）は、前記蓋部（４０）が取り付けられる部位に、弾性部材からなるリング部材（４３）が取り付けられたことを特徴とする請求項１又は請求項２に記載の書類差し。
【請求項４】
前記蓋部（４０）の中央に、指が挿入可能な大きさの開口部（４１）を設けたことを特徴とする請求項1〜請求項３の何れか1つの請求項に記載の書類差し。
【請求項５】
前記蓋部（４０）は、透明又は半透明な円盤部材によって構成されたことを特徴とする請求項1〜請求項４の何れか1つの請求項に記載の書類差し。
【発明の詳細な説明】
【技術分野】
【０００１】
本発明は、伝票などの書類を差し込んで保管するための書類差しに関し、特に、安全性が高く、使用性も良好な書類差しに関する。
【背景技術】
【０００２】
書類差しとしては、台座に、書類を差すためのピンと、支柱とを設け、支柱の先端に、ピン先を保護するための蓋部を取り付けたものが一般的である。
このような書類差しにおいて、蓋部を台座に対して垂直方向に回動可能に取り付けることで、使用時には、蓋部をピン先から離反させて開放し、不使用時にはピン先に接近させて覆うようにしている。この際、使用時に開放状態が維持されるように、蓋部を開放位置においてロックする技術が提案されている（特許文献１を参照）。
【０００３】
また、弾性部材からなるキャップを、支柱の先端に被せた書類差しも提案されている（特許文献２を参照）。この書類差しでは、書類を差し込む際の下圧によってキャップが撓み、その部位から書類をピンに差し込むので、書類の差し込みを迅速に行なうことができる。
【先行技術文献】
【特許文献】
【０００４】
【特許文献１】特開２００６−１５９７１０号公報
【特許文献２】意匠登録第１１８０４０５号公報
【発明の概要】
【発明が解決しようとする課題】
【０００５】
しかし、特許文献１の書類差しは、書類を差し込む前に、蓋部を持ち上げて開放させる操作が必要となるし、書類の差し込みが終了した際には、蓋部を下ろす操作が必要なので、1枚の書類を迅速に整理する必要がある場合は、かえって煩雑である。
特許文献２の書類差しは、不使用時にキャップが外れた場合、安全性が確保されない可能性がある。
【０００６】
そこで、本発明は、不使用時における安全性が高く、尚且つ使用性が良好な書類差しの提供を目的とする。
【課題を解決するための手段】
【０００７】
上記課題を解決するために、本発明に係る書類差しは、台座に、書類が差し込まれるピンと、該ピンの先端部を覆う蓋部を取り付けた支柱と、を設けた書類差しにおいて、前記蓋部は、偏心位置において前記支柱に取り付けられ、水平方向に回転させることで、前記ピンの先端部を露呈させるように構成したことを特徴とするものである。
この場合、前記蓋部は、偏心位置に形成された軸孔を介して、前記支柱に取り付けられていてもよい。
【０００８】
この場合、前記支柱は、前記蓋部が取り付けられる部位に、弾性部材からなるリング部材を取り付けていてもよい。
また、前記蓋部の中央に、指が挿入可能な大きさの開口部を設けてもよい。
また、前記蓋部は、透明又は半透明な円盤部材によって構成されていてもよい。
【発明の効果】
【０００９】
請求項１に係る書類差しは、ピンの先端部を保護するための蓋部を、偏心位置にて支柱に取り付け、水平方向に回転させることで、ピンの先端部が露呈されるようにしたので、書類をピン先に位置させるための水平移動操作と同時に、蓋部の縁を押して水平方向に回動させることができる。
これによって、ピン先を露呈させて書類を差し込む操作を迅速に行なうことができる。
【００１０】
請求項２に係る書類差しは、偏心位置に形成された軸孔を介して、蓋部を支柱に取り付けたので、使用時にはピン先が露呈され、不使用時にはピン先が保護される書類差しを、少ない部品数で製造することができる。
請求項３に係る書類差しは、支柱に弾性部材からなるリング部材を取り付け、そのリング部材を介して蓋部を取り付けるようにしたので、蓋部が不用意に回転することがないように、位置を固定することができる。また、蓋部に垂直方向の負荷がかかった場合に、それを吸収することができる。
【００１１】
請求項４に係る書類差しは、蓋部の中央に、指が挿入可能な大きさの開口部を設けたので、その開口部を介して蓋部の回動操作を行なうことができる。
請求項５に係る書類差しは、蓋部を透明又は半透明な円盤部材で構成したので、ピンの先端部を視認することができ、ピン先の位置を確認しながら、蓋部の回転操作を行なうことができる。
【図面の簡単な説明】
【００１２】
【図１】本発明の実施形態に係る書類差しを示す斜視図である。
【図２】上記書類差しの分解図である。
【図３】上記書類差しの蓋部の取り付け状態を示す部分断面図である。
【図４】上記書類差しの使用状態を示す斜視図である。
【発明を実施するための形態】
【００１３】
本発明の好適な実施形態について、添付図面に基づいて説明する。なお、実施形態は以下の形態に限定されるものではなく、本発明の課題を解決しうるものであれば他の態様も実施可能である。
【００１４】
図１は、本発明に係る書類差し１の斜視図である。  
この書類差し１は、伝票などの書類を差し込んで保管するものであり、台座１０に、書類を突き刺すためのピン２０と、支柱３０とを設け、支柱３０の先端にピン先を保護するための蓋部４０を取り付けたものである。
【００１５】
台座１０は、図２に示すように、円形状の表面部材１１と裏面部材１２とを組み付けて構成されたもので、内部には、所定重量の錘１３が配されている。
裏面部材１２の所定位置には、錘１３が安定配置されるように位置合せを行うための嵌合部１４と、錘１３を介して表面部材１１と固定させるためのネジ孔１５が設けられている。
【００１６】
裏面部材１２の嵌合部１４を、錘１３の被嵌合部１６に嵌め込んだ状態で、錘１３に設けられた透孔１７を介してネジ止めすることで、裏面部材１２と表面部材１１とが組み付けられ、円盤状の台座１０が形成される。
台座１０の裏面には、滑り止め用のラバー１８が貼付される。
【００１７】
台座１０の表面には、書類を突き刺すためのピン２０と、蓋部４０を取り付けるための支柱３０が設けられている。
ピン２０は、多数の書類片を突き刺した状態で保持することができるような長さの針状部材であり、台座１０の中心から所定長離れた偏心位置に、ピン先２１を上に向けた状態で取り付けられている。
【００１８】
即ち、台座１０の表面には、ピン２０を取り付けるための取付孔２２が設けられており、そこにピン２０の下端部を差し込み、錘１３の透孔１７ａを介して、裏面部材１２に設けられたネジ孔１５ａにおいてネジ止めすることで、ピン２０が台座１０に固定される。
台座１０の中心と取付孔２２を通る直線上に、支柱２０を取り付けるための支柱取付部３１が形成されている。この場合、台座１０の直径Ｒに対し、ピン２０の取付孔２２、及び支柱取付部３１は、周縁部から約Ｒ／４の距離に位置する。
【００１９】
支柱取付部３１は、滑らかな曲面部を介して平面部材１１に連続しており、内部において支柱部材３２にネジ止めされる。
支柱部材３２の上端は、段差状の筒部３３となっており、その筒部３３に蓋部４０が環装され、その上からキャップ３４を螺合することで、蓋部４０が支柱３０から外れないようにしている。
【００２０】
蓋部４０は、不使用時にピン先２１を保護するために設けられたもので、台座１０よりも小さな円盤状の部材である。この蓋部４０は、透明な合成樹脂製の部材によって構成されており、中央に、指を差し込むことができる程度の大きさの開口部４１が設けられている。そして、偏心位置に設けられた軸孔４２を介して、支柱３０に回転可能に取り付けられている。
蓋部４０の取付状態について、図３を参照して詳述する。
【００２１】
支柱３０の上端の筒部３３は、蓋部４０の軸孔４２に挿入され、その上面にＯリング４３が装着され、その上からキャップ３４が嵌め込まれる。キャップ３４は、筒部３３の内部から装通されたネジ３５によって固定されている。
このように、支柱３０の蓋部４０が環装される部位に、弾性のあるＯリング４３を介装したので、その摩擦力によって、蓋部４０が不用意に回転するのを防止できる。また、蓋部４０に垂直方向の負荷がかかった場合に、それを吸収することができる。
【００２２】
上記書類差し１の使用状態を以下に説明する。
不使用時においては、蓋部４０の開口部４１と軸孔４２を通る直線上に、ピン先２１が位置するように（即ち、台座１０と略同心円上に位置するように）することで、ピン先２１が蓋部４０によって保護されており、この状態から、蓋部４０の周縁を水平方向に押す。蓋部４０は偏心位置において支柱３０に環装されているので、水平方向に僅かに（約９０°程度）回転させることで、ピン先２１が露呈される（図４を参照）。
【００２３】
そして、ピン先２１を充分に露呈させた状態で、そのピン先２１に書類を突き刺す。そして、蓋部４０を逆方向に回転させて、ピン先２１をカバーする。
蓋部４０が、水平方向に回転するように支柱３０に取り付けられているので、書類をピン先２１に位置させる操作と共に蓋部４０の周縁を水平方向に押すだけで、ピン先２１が露呈される。この際、蓋部４０に対して水平方向の力を作用させるべきところ、垂直方向の力が加わってしまった場合であっても、支柱３０との間に介装されたＯリング４３が、その負荷を吸収し、水平方向への円滑な回転を可能としてくれる。
【００２４】
また、ピン先２１を保護するための蓋部４０が、偏心位置で支柱３０に取り付けられているので、水平方向の回転によって蓋部４０を開放させることが可能となり、蓋部４０を開放して書類をピン先２１に突き刺すという一連の操作を連続的に行なうことができる。
これによって、書類整理を迅速に行なうことが可能となり、事務処理の効率化を図ることができる。また、蓋部４０が不用意に回転しないようにするための固定機構も不要であり、製造工程数や部品点数が低減できる。
【００２５】
なお、本実施形態では、蓋部４０の上面にＯリング４３を装着したが、蓋部４０の下面であっても、蓋部４０の軸孔４２と支柱３０との間であってもよい。
また、蓋部４０の中央に、指を差し込んで回転操作を行なうための開口部４１を設けたが、違う構成の操作部であってもよいし、操作部自体を設けなくてもよい。
さらに、本実施形態では、蓋部を透明な部材によって構成することで、ピン先の視認性を担保したが、不透明な部材であっても構わない。
【産業上の利用可能性】
【００２６】
本発明は、書類を用いた作業のある、あらゆる産業分野において利用可能である。
【符号の説明】
【００２７】
１・・・書類差し
１０・・・台座
１１・・・表面部材
１２・・・裏面部材
１３・・・錘
１４・・・嵌合部
１５・・・ネジ孔
１６・・・被嵌合部
１７・・・透孔
１８・・・ラバー
２０・・・ピン
２１・・・ピン先
２２・・・取付孔
３０・・・支柱
３１・・・支柱取付部
３２・・・筒部
３４・・・キャップ
４０・・・蓋部
４１・・・開口部
４２・・・軸孔
４３・・・Ｏリング（リング部材）
【図２】
2012011761.tif 000003
【図３】
2012011761.tif 000004
【図１】
2012011761.tif 000005
【図４】
2012011761.tif 000006